【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  記録媒体の記録領域に対する書き込み回数が均等になるように、前記記録領域のうちの入力データが書き込まれる空き領域の順番を決定する決定手段と、
前記決定手段により決定された順番で、前記空き領域に、前記入力データを書き込む書き込み手段と、
前記書き込み手段による前記入力データの書き込みに先だって、前記記録媒体に存在する前記空き領域を、第１のキューに登録するとともに、前記書き込み手段により、前記第１のキューに登録されている前記空き領域に対する前記入力データの書き込みがなされたとき、前記入力データが書き込まれた前記空き領域を前記第１のキューから削除し、データ削除により形成された空き領域を、第２のキューに登録する登録手段と、
前記第１のキューが空になったとき、前記第２のキューに登録されている前記空き領域を、前記第１のキューに移動する移動手段とを備え、
前記書き込み手段は、前記第１のキューに登録されている前記空き領域に、前記決定手段により決定された順番で、前記入力データを書き込む
ことを特徴とする記録装置。
【請求項２】  前記決定手段は、記録媒体の記録領域に対する書き込み回数が均等になるように、前記第１のキューに登録された前記入力データが書き込まれる前記空き領域の順番を決定し、
前記移動手段は、前記第１のキューが空になったとき、その順番を保持したまま、前記第２のキューに登録されている前記空き領域を、前記第１のキューに移動する
ことを特徴とする請求項１に記載の記録装置。
【請求項３】  前記書き込み手段は、前記第１のキューおよび前記第２のキューを、前記記録媒体に書き込む
ことを特徴とする請求項１に記載の記録装置。
【請求項４】  前記記録装置が起動するとき、前記記録媒体に記録された前記第１のキューおよび前記第２のキューを読み出す読み出し手段と
をさらに備え、
前記書き込み手段は、前記読み出し手段により読み出された前記第１のキューに登録されている前記空き領域に、前記決定手段により決定された順番で、前記入力データを書き込み、
前記登録手段は、データ削除により形成された前記空き領域を、前記読み出し手段により読み出された前記第２のキューに登録する
ことを特徴とする請求項３に記載の記録装置。
【請求項５】  前記順番は、前記空き領域のアドレスの順番、または前記空き領域の大きさの順番である
ことを特徴とする請求項１に記載の記録装置。
【請求項６】  前記順番は、前記空き領域のアドレスの順番であり、
前記登録手段は、データ削除により形成された前記空き領域と、データが削除される直前に前記書き込み手段により前記入力データが書き込まれた領域との位置関係に基づいて、前記データ削除により形成された前記空き領域を前記第１のキューまたは前記第２のキューに登録する
ことを特徴とする請求項１に記載の記録装置。
【請求項７】  前記書き込み手段は、前記入力データを書き込んだ領域の位置を示す位置情報を、前記記録媒体に書き込む
ことを特徴とする請求項１に記載の記録装置。
【請求項８】  前記記録装置が起動するとき、前記記録媒体に記録された前記位置情報を読み出す読み出し手段と
をさらに備え、
前記登録手段は、前記記録媒体に存在する前記空き領域を、前記空き領域の位置と、前記読み出し手段により読み出された位置情報が示す位置との関係に基づいて、前記第１のキューまたは前記第２のキューに登録する
ことを特徴とする請求項７に記載の記録装置。
【請求項９】  記録媒体の記録領域に対する書き込み回数が均等になるように、前記記録領域のうちの入力データが書き込まれる空き領域の順番を決定する決定ステップと、
前記決定ステップの処理で決定された順番で、前記空き領域に、前記入力データを書き込む書き込みステップと、
前記書き込みステップの処理での前記入力データの書き込みに先だって、前記記録媒体に存在する前記空き領域を、第１のキューに登録するとともに、前記書き込みステップの処理で、前記第１のキューに登録されている前記空き領域に対する前記入力データの書き込みがなされたとき、前記入力データが書き込まれた前記空き領域を前記第１のキューから削除し、データ削除により形成された空き領域を、第２のキューに登録する登録ステップと、
前記第１のキューが空になったとき、前記第２のキューに登録されている前記空き領域を、前記第１のキューに移動する移動ステップとを含み、
前記書き込みステップは、前記第１のキューに登録されている前記空き領域に、前記決定ステップにより決定された順番で、前記入力データを書き込む
ことを特徴とする記録方法。
【請求項１０】  記録媒体の記録領域に対する書き込み回数が均等になるような、前記記録領域のうちの入力データが書き込まれる空き領域の順番の決定を制御する決定制御ステップと、
前記決定ステップの処理で決定された順番での、前記空き領域に対する、前記入力データの書き込みを制御する書き込み制御ステップと、
前記書き込み制御ステップの処理での前記入力データの書き込みに先だっての、前記記録媒体に存在する前記空き領域の、第１のキューへの登録を制御するとともに、前記書き込み制御ステップの処理で、前記第１のキューに登録されている前記空き領域に対する前記入力データの書き込みがなされたときの、前記入力データが書き込まれた前記空き領域の前記第１のキューからの削除と、データ削除により形成された空き領域の、第２のキューへの登録を制御する登録制御ステップと、
前記第１のキューが空になったときの、前記第２のキューに登録されている前記空き領域の、前記第１のキューへの移動を制御する移動制御ステップと
を含む処理をコンピュータに実行させるとともに、
前記書き込み制御ステップでは、前記第１のキューに登録されている前記空き領域に、前記決定制御ステップにより決定された順番での、前記入力データの書き込みを制御する
ことを特徴とするプログラム。
【手続補正２】
【補正対象書類名】明細書
【補正対象項目名】０００６
【補正方法】変更
【補正の内容】
【０００６】
【課題を解決するための手段】
本発明の記録装置は、記録媒体の記録領域に対する書き込み回数が均等になるように、記録領域のうちの入力データが書き込まれる空き領域の順番を決定する決定手段と、決定手段により決定された順番で、空き領域に、入力データを書き込む書き込み手段と、書き込み手段による入力データの書き込みに先だって、記録媒体に存在する空き領域を、第１のキューに登録するとともに、書き込み手段により、第１のキューに登録されている空き領域に対する入力データの書き込みがなされたとき、入力データが書き込まれた空き領域を第１のキューから削除し、データ削除により形成された空き領域を、第２のキューに登録する登録手段と、第１のキューが空になったとき、第２のキューに登録されている空き領域を、第１のキューに移動する移動手段とを備え、書き込み手段は、第１のキューに登録されている空き領域に、決定手段により決定された順番で、入力データを書き込むことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
決定手段は、記録媒体の記録領域に対する書き込み回数が均等になるように、第１のキューに登録された入力データが書き込まれる空き領域の順番を決定し、移動手段は、第１のキューが空になったとき、その順番を保持したまま、第２のキューに登録されている空き領域を、第１のキューに移動することができる。
【手続補正５】
【補正対象書類名】明細書
【補正対象項目名】００１５
【補正方法】変更
【補正の内容】
【００１５】
本発明の記録方法は、記録媒体の記録領域に対する書き込み回数が均等になるように、記録領域のうちの入力データが書き込まれる空き領域の順番を決定する決定ステップと、決定ステップの処理で決定された順番で、空き領域に、入力データを書き込む書き込みステップと、書き込みステップの処理での入力データの書き込みに先だって、記録媒体に存在する空き領域を、第１のキューに登録するとともに、書き込みステップの処理で、第１のキューに登録されている空き領域に対する入力データの書き込みがなされたとき、入力データが書き込まれた空き領域を第１のキューから削除し、データ削除により形成された空き領域を、第２のキューに登録する登録ステップと、第１のキューが空になったとき、第２のキューに登録されている空き領域を、第１のキューに移動する移動ステップとを含み、書き込みステップは、第１のキューに登録されている空き領域に、決定ステップにより決定された順番で、入力データを書き込むことを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
記録媒体の記録領域に対する書き込み回数が均等になるような、記録領域のうちの入力データが書き込まれる空き領域の順番の決定を制御する決定制御ステップと、決定ステップの処理で決定された順番での、空き領域に対する、入力データの書き込みを制御する書き込み制御ステップと、書き込み制御ステップの処理での入力データの書き込みに先だっての、記録媒体に存在する空き領域の、第１のキューへの登録を制御するとともに、書き込み制御ステップの処理で、第１のキューに登録されている空き領域に対する入力データの書き込みがなされたときの、入力データが書き込まれた空き領域の第１のキューからの削除と、データ削除により形成された空き領域の、第２のキューへの登録を制御する登録制御ステップと、第１のキューが空になったときの、第２のキューに登録されている空き領域の、第１のキューへの移動を制御する移動制御ステップとを含む処理をコンピュータに実行させるとともに、書き込み制御ステップでは、第１のキューに登録されている空き領域に、決定制御ステップにより決定された順番での、入力データの書き込みを制御することを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
本発明の記録装置および方法、並びにプログラムにおいては、記録媒体の記録領域に対する書き込み回数が均等になるように、記録領域のうちの入力データが書き込まれる空き領域の順番が決定され、決定された順番で、空き領域に、入力データが書き込まれる。